(57)【要約】      （修正有）【課題】耳のせ型ノイズキャンセリングヘッドホンを提供する。【解決手段】保護カバー２とスピーカエレメント３と集音マイクロホン素子４とを含む耳のせ型ノイズキャンセリングヘッドホンであって、保護カバー２の第１表面に第１突起部と第２突起部を形成し、第２表面に第３突起部２４を形成し、第１突起部と第３突起部２４で第１収容空間２６を形成し、第２突起部で第２収容空間を形成し、スピーカエレメント３は第１収容空間の中に設けられ、集音マイクロホン素子４が第２収容空間の中に設けられる。スピーカエレメント３は、回路素子３１とスピーカユニット３３とを備え、回路素子３１を通じて音声信号コード５をスピーカユニット３３及び集音マイクロホン素子４に接続し、集音マイクロホン素子４を使用者の外耳道に近く設置することを介し、また収容空間で低周波応答を増やし、音の解像度を高め、屋外或いは歩行の時ノイズキャンセリングの効果を奏することができる。【選択図】図３
0003197378.tif 000002
【実用新案登録請求の範囲】
【請求項１】
その第１表面の中心部に垂直方向に向かって凸起して中空柱体の第１突起部を形成し、前記第１突起部の左下或いは右下に中空柱体の第２突起部を形成し、その第２表面の前記第１突起部に対応する位置から凸起して第３突起部を形成し、前記第１突起部と前記第３突起部で第１収容空間を形成し、前記第２突起部で第２収容空間を形成する保護カバーと、
前記第２収容空間の中に設けられる集音マイクロホン素子と、
回路素子とスピーカユニットとを備え、前記回路素子が複数の音声信号コードに接続し、前記スピーカユニットと組立接合し、前記回路素子を通じて前記音声信号コードを前記スピーカユニット及び前記集音マイクロホン素子に接続するスピーカエレメントと、を含む耳のせ型ノイズキャンセリングヘッドホンにおいて、
前記第１表面は使用者の外耳道に向かうことを特徴とする耳のせ型ノイズキャンセリングヘッドホン。
【請求項２】
前蓋と後蓋と封止蓋とを更に含み、前記前蓋は前記第１突起部の上に設けられ、前記後蓋が前記第２突起部の上に設けられ、前記前蓋と一緒に前記第１収容空間を封止し、前記封止蓋が前記保護カバーの前記第２表面に設けられ、片面で前記第２収容空間を封止することを特徴とする請求項１に記載の耳のせ型ノイズキャンセリングヘッドホン。
【請求項３】
前記前蓋は、メッシュ状とすることを特徴とする請求項２に記載の耳のせ型ノイズキャンセリングヘッドホン。
【請求項４】
使用者が聴く時、前記集音マイクロホン素子と前記スピーカユニットの振動板は、同一垂直線上に位置することを特徴とする請求項１に記載の耳のせ型ノイズキャンセリングヘッドホン。
【請求項５】
前記耳のせ型ノイズキャンセリングヘッドホンの右耳側において前記集音マイクロホン素子の中心は、前記スピーカエレメントの中心の左下に位置することを特徴とする請求項１に記載の耳のせ型ノイズキャンセリングヘッドホン。
【請求項６】
前記耳のせ型ノイズキャンセリングヘッドホンの左耳側において、前記集音マイクロホン素子の中心は、前記スピーカエレメントの中心の右下に位置することを特徴とする請求項１に記載の耳のせ型ノイズキャンセリングヘッドホン。
【請求項７】
前記集音マイクロホン素子の中心と前記スピーカエレメントの中心までの一直線が前記スピーカエレメントの中心を通過する水平線との交角は、１５〜７０°を呈することを特徴とする請求項５又は６のいずれか一項に記載の耳のせ型ノイズキャンセリングヘッドホン。
【請求項８】
前記保護カバーの前記第２表面は、外部筐体と連接するための複数の組立部を更に含むことを特徴とする請求項１に記載の耳のせ型ノイズキャンセリングヘッドホン。
【考案の詳細な説明】
【技術分野】
【０００１】
本考案は、ヘッドホンに関し、特に、マイクロホンを保護カバーに統合し、外耳道に向かわせることでノイズキャンセリングする統合式耳のせ型ヘッドホンに関する。
【背景技術】
【０００２】
近代カスタマーサービス、スポーツ、運転、更にオンラインゲームの時、受話と送話の兼用の必要性のため、ヘッドホン及びマイクロホンを統合した統合式ヘッドホン耳機の需要があり、現在市販されているブルートゥースシステムで通信するブルートゥースヘッドホン或いは有線で接続する統合式ヘッドホンがあり、使用者が物理的な素子の交換を必要としなくても直接受話、送話を実現できている。
【０００３】
現在市販されて一般的に見られるのは、マイクロホンをヘッドホンの下方に掛けているもので、現在の設計は常に送話位置が使用者の口の近くにあることを考慮してマイクロホンの位置をここに設けている。しかしながらマイクロホンは、容易にスピーカの振動板の振動又は外部の風雑音、自分の呼吸音を受けて音を発するため、通話時に容易にノイズが発生して通話の品質に干渉を及ぼしている。
【０００４】
よって、屋内外でいずれも便利に使用でき、且つスピーカの後退波によるノイズを軽減できる統合型ヘッドホンが必要とされてきた。
【考案の概要】
【考案が解決しようとする課題】
【０００５】
本考案は、耳のせ型ノイズキャンセリングヘッドホンを提供することを主な目的とする。
【課題を解決するための手段】
【０００６】
耳のせ型ノイズキャンセリングヘッドホンは、保護カバーとスピーカエレメントと集音マイクロホン素子とを含む。保護カバーの第１表面において第１突起部と第２突起部とを備え、いずれも中空柱体で、該第１表面から延出し、該第１表面に対する第２表面において該第１突起部と対向し且つ連通する第３突起部を有し、該第１突起部と該第３突起部で第１収容空間を形成し、該第２突起部で第２収容空間を形成し、該第１表面が使用者の外耳道にフィットする。
【０００７】
該第１表面は該第１突起部上に設けられる前蓋を更に備え、該第２表面が後蓋と封止蓋を備え、該後蓋が該第２突起部上に設けられ、該前蓋と一緒に該第１収容空間を封止し、該封止蓋が該保護カバーの該第２表面に設けられ、片面で該第２収容空間を封止する。
【０００８】
スピーカエレメントは該第１収容空間の中に設けられ、集音マイクロホン素子が該第２収容空間の中に設けられる。スピーカエレメントは、回路素子とスピーカユニットとを備え、該回路素子が複数の音声信号コードに接続し、該スピーカユニットと組立接合し、該回路素子を通じてこれら音声信号コードを該スピーカユニット及び該集音マイクロホン素子に接続する。
【０００９】
実際上、使用者が発した声は、外耳道に近くの箇所で共鳴を発生して受信できるため、集音マイクロホン素子をヘッドホン内側に設けて使用者の外耳道に近く、且つスピーカユニット及び集音マイクロホンユニットはいずれも保護カバーから突出し、収容空間を通じて低周波応答の効果を増加する。こうすると、音の解像度を上げる以外に、屋外或いは歩行の時、集音マイクロホン素子も外気により振動されることなく、ノイズキャンセリング効果を奏することができる。
【図面の簡単な説明】
【００１０】
【図１】本考案に係る耳のせ型ノイズキャンセリングヘッドホンの前面立体図である。
【図２】本考案に係る耳のせ型ノイズキャンセリングヘッドホンの後面立体図である。
【図３】本考案に係る耳のせ型ノイズキャンセリングヘッドホンの分解立体図である。
【図４】本考案に係る耳のせ型ノイズキャンセリングヘッドホンの断面図である。
【図５】本考案に係る耳のせ型ノイズキャンセリングヘッドホンの全体を示す模式図である。
【図６】本考案に係る耳のせ型ノイズキャンセリングヘッドホン右耳側のスピーカエレメント及び集音マイクロホン素子の相対配置図である。
【考案を実施するための形態】
【００１１】
図１乃至図３を参照すると、本考案に係る耳のせ型ノイズキャンセリングヘッドホンの前面立体図、後面立体図及び分解立体図である。図１乃至図３に示すように、本考案に係る耳のせ型ノイズキャンセリングヘッドホン１は、保護カバー２とスピーカエレメント３と集音マイクロホン素子４とを含む。保護カバー２は、例えば円形平板のような略平板状で、該保護カバー２の第１表面が第１突起部２１を備え、該第１突起部２１が保護カバー２の第１表面の中心から垂直方向に向かって凸起している中空柱体である。該第１突起部２１は、前蓋２２で覆われ、該前蓋２２がメッシュ状とすることができる。該保護カバー２の第１表面は、更に該第１突起部２１の左下或いは右下にある第２突起部２３を有し、該第２突起部２３の延伸方向が第１突起部２１の延伸方向に平行し、中空柱体である。
【００１２】
保護カバー２の第２表面は、該第１突起部２１の位置に対応して凸起して第３突起部２４を形成し、該第３突起部２４の内周縁が後蓋２５と組立接合し、第１突起部２１及び該第３突起部２４が連通して第１収容空間２６を形成し、該第１収容空間及び該第２収容空間は前蓋２２及び後蓋２５で各々封止される。
【００１３】
スピーカエレメント３は、該第１収容空間２６の中に設けられる。保護カバー２の第２表面の該第２突起部２３に対応する位置に封止蓋２７を設け、片面で該中空柱体を封止して第２収容空間２８を形成する。該集音マイクロホン素子４は、該第２収容空間２８の中に設けられ、該第１表面が使用者の外耳道にフィットする。
【００１４】
スピーカエレメント３は、回路素子３１と一つのスピーカユニット３３とを備え、該回路素子３１が複数の音声信号コード５に接続し、該スピーカユニット３３と組立接合し、該回路素子３１を通じてこれら音声信号コード５を該スピーカユニット３３及び該集音マイクロホン素子４に接続する。
【００１５】
図４を参照すると、本考案に係る耳のせ型ノイズキャンセリングヘッドホンの断面図である。図４に示すように、該スピーカエレメント３及び該集音マイクロホン素子４の位置は、該保護カバー２から突出する。第１収容空間がチャンバー応答を増えるため、ヘッドホン全体の低周波応答がクッキリとした鮮明な解像度を実現できる。使用者が聴く時、該集音マイクロホン素子４とスピーカユニット３３の振動板３５は同一垂直線上に位置し、且つ更に使用者の外耳道位置にフィットできる。
【００１６】
もう一度図２を参照すると、該保護カバー２の第２表面は、例えば第１組立部２９ａ、第２組立部２９ｂ及び第３組立部２９ｃといった複数の組立部を更に含み、外部筐体５００と連接して図５に示す耳のせ型ヘッドホンとして組み立てることに用いる。
【００１７】
図６を参照すると、本考案に係る耳のせ型ノイズキャンセリングヘッドホン右耳側のスピーカエレメント及び集音マイクロホン素子の相対配置図である。集音マイクロホン素子の中心４０１は、該スピーカエレメントの中心３０１の左下に位置し、約７時の方向とする。該スピーカエレメントの中心３０１と集音マイクロホン素子の中心４０１までの一直線が該スピーカエレメントの中心３０１を通過する水平線との交角は、１５〜７０°とする。ノイズキャンセリングヘッドホンの左耳側（図示略）は分かるように、相対的に集音マイクロホン素子の中心４０１が該スピーカエレメントの中心３０１の右下に位置し、約５時の方向とする。
【００１８】
本考案の特徴は、主にスピーカエレメント及び集音マイクロホン素子を保護カバーから突出して設け、収容空間を通じて低周波応答の効果を増やし、同時に集音マイクロホン素子を外耳道に近く位置に設け、人体の共鳴発生位置に近く、屋外或いは歩行の時も外気を受けても振動することはなく、ノイズキャンセリング効果を奏することができる。
【００１９】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであることは言うまでもない。よって本考案の保護範囲は、本明細書に添付する実用新案登録請求の範囲で定義しているものを基準とする。
【符号の説明】
【００２０】
１        耳のせ型ノイズキャンセリングヘッドホン
２        保護カバー
２１  第１突起部
２２  前蓋
２３  第２突起部
２４  第３突起部
２５  後蓋
２６  第１収容空間
２７  封止蓋
２８  第２収容空間
２９ａ    第１組立部
２９ｂ    第２組立部
２９ｃ    第３組立部
３        スピーカエレメント
３１  回路素子
３３  スピーカユニット
３５  振動板
３０１    スピーカエレメントの中心
４        集音マイクロホン素子
４０１    集音マイクロホン素子の中心
５        音声信号コード
５００    筐体
【図１】
0003197378.tif 000003
【図２】
0003197378.tif 000004
【図３】
0003197378.tif 000005
【図４】
0003197378.tif 000006
【図５】
0003197378.tif 000007
【図６】
0003197378.tif 000008